(57)【特許請求の範囲】
【請求項１】
杭頭に落下する重錘によって前記杭頭に作用する軸方向押込み力から杭の支持力を確認する杭の急速載荷試験装置において、前記杭頭の近くに立設される架構体と、前記架構体に設置され、前記杭頭に落下した重錘を重錘吊上げロッドを介して元の高さまで吊り上げる重錘吊上げジャッキと、前記重錘吊上げロッドの端部に前記重錘を切り離し可能に垂設する重錘把持チャックと、前記重錘をガイドするガイド装置とを備え、前記重錘吊上げジャッキは前記重錘を吊り上げるジャッキ本体と、前記ジャッキ本体の上部側と下部側にそれぞれ設置され、前記重錘吊上げロッドを把持および解放する上部チャックと下部チャックを備え、前記重錘吊上げジャッキが前記重錘を吊り上げるとき、前記上部チャックは前記重錘吊上げロッドを把持し、前記下部チャックは前記重錘吊上げロッドを解放し、かつ前記上部チャックが前記重錘吊上げロッドを解放して前記重錘吊上げジャッキの収縮と共に下降するとき、前記下部チャックは前記重錘吊上げロッドを把持するように構成されていることを特徴とする杭の急速載荷試験装置。
【請求項２】
請求項１記載の杭の急速載荷試験装置において、前記重錘吊上げロッドの外周に複数の節部が前記重錘吊上げロッドの軸方向に等間隔に設けられていることを特徴とする杭の急速載荷試験装置。
【請求項３】
請求項１または２記載の杭の急速載荷試験装置において、前記杭頭で跳ね上った前記重錘を空中でキャッチする重錘キャッチング装置を備えていることを特徴とする杭の急速載荷試験
【請求項４】
請求項１〜３のいずれかに記載の杭の急速載荷試験において、前記重錘吊上げジャッキと前記重錘把持チャックを遠隔操作する遠隔装置を備えていることを特徴とする杭の急速積載試験装置。
【発明の詳細な説明】
【技術分野】
【０００１】
本発明は、地盤面に突出する杭頭に落下する重錘によって前記杭頭に作用する杭の軸方向押込み力から前記杭の支持力を確認する杭の急速載荷試験装置に関し、杭頭に落下した重錘を元の高さまできわめて安全にかつ迅速に吊り上げられるようにしたものである。
【背景技術】
【０００２】
杭の支持力を確認する方法として、実際の杭と同じ条件で行う静的載荷試験が広く知られているが、反力抵抗体(反力杭)や載荷梁などを設置する必要があるため、特に大きな荷重を載荷する場合は大掛かりな試験になって工期・経費の増大を伴い、また、試験に時間がかかる等の課題があった。
【０００３】
このため、実際の杭頭に重錘を落下させて杭に軸方向押込み力を加えて支持力を確認する杭の急速載荷試験が注目されている。
【０００４】
例えば、特許文献１には、杭頭に落下させる重錘と杭頭に落下して跳ね上がった重錘をキャッチするキャッチ装置と杭頭に落下した重錘を元の高さまで吊り上げる吊上げ装置を備え、特に杭頭に落下した重錘を元の高さまで吊り上げる手段として、ジャッキやウィンチ、或いはクレーン等が用いられている。
【０００５】
例えば、ジャッキを用いて杭頭に落下した重錘を元の高さまで吊り上げるには、これまで、ネジ付きロッドに重錘を吊り下げ、当該ネジ付きロッドを把持するジャッキを伸長または収縮させて、ピストンロッドの１ストローク長、前記ネジ付きロッドを重錘と共に吊り上げ、当該ネジ付きロッドの雄ネジ部に螺合された仮固定ナットを締め付けて、前記ネジ付きロッドを一度仮固定してピストンロッドを元に戻し、再びジャッキを伸長または収縮させてネジ付きロッドを重錘と共に吊り上げる作業を繰り返し行っていた。
【先行技術文献】
【特許文献】
【０００６】
【特許文献１】特許第6613430号
【特許文献２】特開2005-68802号公報
【特許文献３】特開2002-303570号公報
【特許文献４】特許第6693778号公報
【非特許文献】
【０００７】
【非特許文献１】「スーパージャッキシステム」2010/08/06  社会基盤事業部  JFEシビル株式会社  [2021年01月14日検索]  https://www.jfe-civil.com/infra/tokkow/
【発明の概要】
【発明が解決しようとする課題】
【０００８】
しかし、杭頭に落下した重錘を、ジャッキを用いて元の高さまで吊り上げるこれまでの方法では、重錘を吊り上げるジャッキは、杭頭の周囲にかなり高く軸組された架構の上に据え付けられ、当該ジャッキの操作と重錘を吊り下げた吊上げロッドを仮固定する作業は、作業員が高台車に乗って一回一回手作業で行っているため、きわめて作業性が悪く非効率な作業であった。
【０００９】
特に、杭の急速載荷試験に用いられる重錘は、例えば２００ｔもあって非常に重く、また、通常３〜４ｍの高さを数十ｃｍごとに小刻みに吊り上げる作業であるため、時間がかかりきわめて非効率な作業を強いられた。
【００１０】
また、作業員が高所にてしかも手作業で行うため非常に危険を伴うだけでなく、作業中トラブルが発生して試験の中断を強いられることもあった。
【００１１】
ところで、上昇、下降の両機能を備えた吊上げジャッキを用いて吊り荷を自動的に吊り上げるジャッキ式吊上げ機械が知られており、吊り荷を吊る吊り部材にステップロッドや総ネジ付きロッド、或いはワイヤーやＰＣ鋼より線、さらにはステップバー等が用いられ、いずれもジャッキを用いて吊り部材を吊り荷と共に一定量ずつ吊上げ、最終的に目的の高さまで吊り荷を自動的に吊り上げるように構成されている。
【００１２】
例えば、上昇、下降の両機能を有するジャッキを用いて吊上げはもちろん、従来困難とされた重量物の吊上げをも可能にしたスーパージャッキシステムの技術が知られている(非特許文献１)。
【００１３】
当該スーパージャッキシステムは、節付きのステップロッドをジャッキの伸縮によって昇降させることにより重量物を上昇または下降させるジャッキシステムであり、主として建築構造物の解体工事や建設工事などに用いられている(特許文献４)。
【００１４】
本発明は、以上の課題を解決するためになされたもので、特に前述のスーパージャッキシステムの技術を利用して杭頭に落下した重錘を元の高さまできわめて安全にかつ迅速に吊り上げられるようにした杭の急速載荷試験装置を提供することを目的とするものである。
【課題を解決するための手段】
【００１５】
本発明は、地盤面に実際に突出する杭頭に落下する重錘によって前記杭頭に作用する軸方向押込み力から杭の支持力を確認する杭の急速載荷試験装置の発明であり、前記杭頭の近くに立設される架構体と、前記架構体に設置され、前記杭頭に落下した重錘を重錘吊上げロッドを介して元の高さまで吊り上げる重錘吊上げジャッキと、前記重錘吊上げロッドの端部に前記重錘を切り離し可能に垂設する重錘把持チャックと、前記重錘をガイドするガイド装置とを備え、前記重錘吊上げジャッキは前記重錘を吊り上げるジャッキ本体と、前記ジャッキ本体の上部側と下部側にそれぞれ設置され、前記重錘吊上げロッドを把持および解放する上部チャックと下部チャックを備え、前記重錘吊上げジャッキが前記重錘を吊り上げるとき、前記上部チャックは前記重錘吊上げロッドを把持し、前記下部チャックは前記重錘吊上げロッドを解放し、前記上部チャックが前記重錘吊上げロッドを解放して前記重錘吊上げジャッキの収縮の収縮と共に下降するとき、前記下部チャックは前記重錘吊上げロッドを把持するように構成されていることを特徴とするものであり、特に重錘吊上げジャッキのジャッキ本体の伸縮と上部チャックおよび下部キャックによる重錘吊上げロッドの把持と解放を交互に繰り返すことにより杭頭に落下した重錘を元の高さまできわめて安全にかつ迅速に吊り上げることができる。
【００１６】
また、前記重錘吊上げロッドの外周に複数の節部が前記重錘吊上げロッドの軸方向に等間隔に設けることで、上部チャックと下部チャックによって重錘吊上げロッドを確実に把持して、杭頭に落下した重錘を元の高さまで安全にかつ確実に吊り上げることができる。
【００１７】
さらに、前記杭頭で跳ね上った重錘を空中でキャッチする重錘キャッチング装置を備えていることで、重錘のリバウンドを防止することができ、さらに
前記重錘吊上げジャッキと前記重錘把持チャックは遠隔装置によって安全に操作することができる。
【発明の効果】
【００１８】
本発明は、特に重錘吊上げジャッキのジャッキ本体の伸縮と上部チャックおよび下部キャックによる重錘吊上げロッドの把持と解放を交互に繰り返すことにより杭頭に落下した重錘を元の高さまできわめて効率的かつ迅速に吊り上げることができる。
【００１９】
また、重錘吊上げジャッキの操作を遠隔操作による自動運転とすることで、トラブルの発生を極力無くすことができ、また重錘を元の高さまできわめて安全に吊り上げることができる。
【図面の簡単な説明】
【００２０】
【図１】杭の急速載荷試験装置の一実施形態であり、重錘が重錘吊上げロッドの下端部に重錘チャックによって垂設された状態を示す正面図である。
【図２】図１に図示する杭の急速載荷装置のイ−イ線断面図である。
【図３】重錘吊上げロッドの下端部に重錘チャックによって吊り下げられた重錘の側面図である。
【図４】重錘吊上げジャッキの拡大図である。
【図５】重錘吊上げジャッキの動作の説明図であり、上部チャックが重錘吊上げロッドを把持し、ジャッキ本体が伸長することにより重錘吊上げロッドを介して重錘を吊り上げる動作を示す拡大断面図である。
【図６】重錘吊上げジャッキの動作の説明図であり、上部チャックが重錘吊上げロッドを解放し、ジャッキ本体の収縮により重錘吊上げロッドに沿って下降する動作を示す拡大断面図である。
【図７】重錘吊上げジャッキの動作の説明図であり、上部チャックが重錘吊上げロッドを把持し、ジャッキ本体が収縮することにより重錘吊上げロッドが下降する動作を示す拡大断面図である。
【図８】重錘吊上げジャッキの動作の説明図であって、上部チャックが重錘吊上げロッドを解放し、ジャッキ本体の伸長により重錘吊上げロッドに沿って上昇する動作を示す拡大断面図である。
【図９】重錘チャッチング装置の一例を示す分解斜視図である。
【図１０】図(a)〜(c)は、図９に図示する重錘チャッチング装置の動作を示す縦断面図である。
【図１１】重錘キャッチング装置の変形例であり、図(ａ)は縦断面図、図(ｂ)は平面図、図(ｃ)は動作を説明する縦断面図である。
【発明を実施するための形態】
【００２１】
図１〜図１１は、本発明の杭の急速載荷試験装置の一実施形態を図示したものであり、図において、実際に地盤面に突出する杭頭Ａを包囲するように杭の急速載荷試験装置の架構体１が据え付けられている。
【００２２】
架構体１の上方に架台２が設置され、当該架台２に重錘吊上げロッド４が杭頭Ａに向けて鉛直に設置され、さらに当該重錘吊上げロッド４の先端部に杭頭Ａに落下させる重錘３が吊り下げられている。
【００２３】
また、架台２には重錘吊上げロッド４を介して重錘３を落下させる高さまで吊り上げる重錘吊上げジャッキ５が据え付けられている。
【００２４】
重錘３は、複数のブロックをひとつに結合することにより構成され、当該ブロックの数量を増減することにより全体の重量を調整できるように構成されている。
【００２５】
重錘吊上げロッド４は、杭頭Ａの上方延長上に重錘吊上げジャッキ５を鉛直に貫通して設置され、かつ架台２に重錘吊上げジャッキ５によって鉛直方向に昇降可能に支持されている。
【００２６】
また、重錘吊上げロッド４の外周に節部６が重錘吊上げロッド４の軸方向に等間隔に形成され、各節部６の外周面に下端部より上端方向に徐々に小径となる裁頭円錐台形状のテーパー面６ａが形成されている。
【００２７】
さらに、重錘吊上げロッド４の下端部に重錘３を脱着可能に把持するチャック７が取り付けられ、重錘３はチャック７で把持することにより重錘吊上げロッド４の下端部に切り離し可能に吊り下げられている。
【００２８】
チャック７は、例えば油圧式などにより作動して重錘３を脱着可能に把持するように構成され、かつ無線または有線による遠隔操作によって重錘吊上げロッド４の下端部に重錘３を垂設し、また重錘吊上げロッド４の下端部から切り離して杭頭Ａに落とせるようになっている。
【００２９】
重錘吊上げジャッキ５は、鉛直方向に伸縮することにより重錘吊上げロッド４を介して重錘３を落下したもとの高さまで吊り上げるジャッキ本体８と、ジャッキ本体８の上側と下側にそれぞれ設置され、重錘吊上げロッド４を把持および解放する上部チャック９と下部チャック１０を備えている。
【００３０】
上部チャック９は、ジャッキ本体８のピストンロッド８ａが伸長することにより重錘吊上げロッド４を介して重錘３を吊り上げるとき(図５参照)、重錘吊上げロッド４を把持して重錘吊上げロッド４と共に上昇するように構成されている。
【００３１】
また、ジャッキ本体８のピストンロッド８ａの収縮により重錘吊上げロッド４が下降するとき(図７参照)、上部チャック９は重錘吊上げロッド４を把持して重錘吊上げロッド４と共に下降するように構成されている。
【００３２】
さらに、下部チャック１０が重錘吊上げロッド４を把持する状態で、上部チャック９は重錘吊上げロッド４を解放し、ジャッキ本体８のピストンロッド８ａの伸長により重錘吊上げロッド４に沿って上昇し(図８参照)、また、下部チャック１０が重錘吊上げロッド４を把持する状態で、上部チャック９はピストンロッド８ａの収縮により重錘吊上げロッド４に沿って下降するように構成されている(図６参照)。
【００３３】
下部チャック１０は、上部チャック９が重錘吊上げロッド４を把持し、ジャッキ本体８のピストンロッド８ａが伸長することにより、重錘吊上げロッド４を介して重錘３を吊り上げるとき(図３参照)、重錘吊上げロッド４を解放するように構成されている。
【００３４】
また、上部チャック９が重錘吊上げロッド４を把持し、ジャッキ本体８のピストンロッド８ａの収縮により、重錘吊上げロッド４が下降するとき(図５参照)、および上部チャック９が重錘吊上げロッド４を解放し、ジャッキ本体８のピストンロッド８ａの伸長により重錘吊上げロッド４に沿って上昇するとき(図８参照)、下部チャック１０は重錘吊上げロッド４を把持するように構成されている。
【００３５】
上部チャック９と下部チャック１０について、さらに詳しく説明すると、上部チャック９は中空に形成されたチャック本体９ａと、当該チャック本体９ａ内に重錘吊上げロッド４の軸上下方向に可動自在に内蔵され、重錘吊上げロッド４の節部４ａの下側を把持および解放する係合キー９ｂと、重錘吊上げロッド４の軸上下方向に伸縮可能に内蔵され、係合キー９ｂを重錘吊上げロッド４の軸上方向に押し上げるジャッキ９ｃと、係合キー９ｂを重錘吊上げロッド４の軸下方向に常時押し下げるスプリング９ｄとを備えている。
【００３６】
また、チャック本体９ａの内側に中間リブ９ｅが形成され、当該中間リブ９ｅの下側と上側にそれぞれジャッキ９ｃとスプリング９ｄが内蔵され、さらに中間リブ９ｅと係合キー９ｂとの当接面に重錘吊上げロッド４側に傾斜するテーパー面９ｆが逆円錐台形状に形成されている。そして、チャック本体９ａ、ジャッキ９ｂおよび係合キー９ｂの中心部に形成されたルーズ孔を重錘吊上げロッド４が鉛直方向に貫通している。
【００３７】
このような構成において、スプリング９ｄが係合キー９ｂを重錘吊上げロッド４の軸下方向に常時押し下げることで、係合キー９ｂは中間リブ９ｅのテーパー面９ｆに沿って重錘吊上げロッド４側にスライドし、重錘吊上げロッド４の節部４ａの下側に係合する。すなわち、上部チャック９が重錘吊上げロッド４の節部４ａの下側を把持する(図５参照)。これにより、ジャッキ本体８のピストンロッド８ａが伸長することにより重錘吊上げロッド４を介して重錘３をピストンロッド８ａの１ストローク長分吊り上げることができる。
【００３８】
また、ジャッキ９ｃが係合キー９ｂを重錘吊上げロッド４の軸上方向に押し上げることにより、係合キー９ｂは押し上げられながら重錘吊上げロッド４の反対側方向にスライドして、重錘吊上げロッド４の節部４ａの下側から外れる。すなわち、係合キー９ｂは重錘吊上げロッド４を解放するため、上部チャック９はジャッキ本体８のピストンロッド８ａの収縮と共に重錘吊上げロッド４に沿って元の位置まで下降する(図６参照)。
【００３９】
なお、このとき、後述する下部チャック１０が重錘吊上げロッド４を把持するため、重錘吊上げロッド４は上部チャック９と共に下降することはない。
【００４０】
以下、係合キー９ｂが重錘吊上げロッド４を把持し、ジャッキ本体８のピストンロッド８ａが伸長することにより重錘吊上げロッド４を介して重錘３を吊り上げる動作(図５参照)と、係合キー９ｂが重錘吊上げロッド４を解放し、ジャッキ本体８のピストンロッド８ａが収縮することにより上部チャック９が重錘吊上げロッド４に沿って下降する動作((図６参照))が繰り返されることにより、杭頭Ａに落下した重錘３を落下したもとの高さまで吊り上げることができる。
【００４１】
下部チャック１０は、中空に形成されたチャック本体１０ａと、当該チャック本体１０ａ内に重錘吊上げロッド４の軸上下方向に可動自在に内蔵され、重錘吊上げロッド４を把持および解放する係合キー１０ｂと、重錘吊上げロッド４の軸上下方向に伸縮可能に内蔵され、係合キー１０ｂを重錘吊上げロッド４の軸上方向に押し上げるジャッキ１０ｃと、係合キー１０ｂを常時重錘吊上げロッド４の軸下方向に押し下げるスプリング１０ｄとを備えている。
【００４２】
また、チャック本体１０ａの内側に中間リブ１０ｅが形成され、当該中間リブ１０ｅの下側と上側にジャッキ１０ｃとスプリング１０ｄがそれぞれ内蔵されている。また、中間リブ１０ｅと係合キー１０ｂとの当接面に重錘吊上げロッド４側に傾斜するテーパー面１０ｆが逆円錐台形状に形成されている。そして、チャック本体１０ａ、ジャッキ１０ｃおよび係合キー１０ｂの中心部に形成されたルーズ孔を重錘吊上げロッド４が鉛直方向に貫通している。
【００４３】
このような構成において、スプリング１０ｄが係合キー１０ｂを重錘吊上げロッド４の軸下方向に常時押し付けることで、係合キー１０ｂが中間リブ１０ｅのテーパー面１０ｆに沿って重錘吊上げロッド４側にスライドして、重錘吊上げロッド４の節部４ａの下側に係合する。すなわち、下部チャック１０が重錘吊上げロッド４の節部４ａの下側を把持する。
【００４４】
これにより、上部チャック９は吊り下げロッド４を解放し、ジャッキ本体８のピストンロッド８ａの伸縮により重錘吊上げロッド４に沿って上昇(図６参照)および下降(図８参照)することができる。
【００４５】
また、ジャッキ１０ｃが係合キー１０ｂを重錘吊上げロッド４の軸上方向に押し上げることにより、係合キー１０ｂは押し上げられながら重錘吊上げロッド４の反対側方向にスライドして重錘吊上げロッド４を解放する。
【００４６】
これにより、上部チャック９は重錘吊上げロッド４を把持し、ジャッキ本体８のピストンロッド８ａが収縮することにより重錘吊上げロッド４と共に下降する (図７参照)。すなわち、重錘吊上げロッド４をジャッキ本体８のピストンロッド８ａの１ストローク長分下降させることができる。
【００４７】
以下、下部チャック１０が重錘吊上げロッド４を解放する状態で、係合キー９ｂが重錘吊上げロッド４を把持し、かつジャッキ本体８のピストンロッド８ａが収縮することにより重錘吊上げロッド４が下降する動作(図７参照)と、下部チャック１０が重錘吊上げロッド４を把持する状態で、係合キー９ｂが重錘吊上げロッド４を解放し、かつ上部チャック９がジャッキ本体８のピストンロッド８ａの伸長により重錘吊上げロッド４に沿って上昇する動作((図６参照))が繰り返されることにより、重錘吊上げロッド４を杭頭Ａに落下した重錘３の位置まで下げることができる。
【００４８】
符号１１は、重錘３が杭頭Ａに落下する間、および杭頭Ａに落下した重錘３が元の高さまで吊り上げられる間、当該重錘３をガイドするガイド装置であり、ガイドレール１１ａとガイドローラ１１ｂを備え、ガイドレール１１ａは架構体１の支柱１ａの内側に設置され、ガイドローラ１１ｂは重錘３と重錘チャック７に設置され、ガイドレール１１ａの上を走行するようになっている。
【００４９】
また、符号１２は、重錘３が杭頭Ａに落下して跳ね上がった際に、重錘３を空中でキャッチして重錘３のリバウンドを防止する重錘キャッチング装置である。重錘キャッチング装置１２は、重錘キャッチングホルダー１３、永電磁ホルダー１４および重錘落下防止ストッパー１５を備え、架構体１の上端部に据え付けられた門型フレーム１６に設置されている。
【００５０】
重錘キャッチングホルダー１３と永電磁ホルダー１４は、それぞれ架構体１の上枠１ａと門型フレーム１６の上枠１６ａに設置され、重錘落下防止ストッパー１５は重錘キャッチングホルダー１３と永電磁ホルダー１４間に設置されている。
【００５１】
また、重錘キャッチングホルダー１３、永電磁ホルダー１４および重錘落下防止ストッパー１５は同一鉛直線上に設置され、かつ当該重錘キャッチングホルダー１３、永電磁ホルダー１４および重錘落下防止ストッパー１５の中心部分を後述する重錘キャッチングロッド１７が鉛直に貫通し、重錘キャッチングホルダー１３と永電磁ホルダー１４間を重錘落下防止ストッパー１５が重錘キャッチングロッド１７に沿って自由に上下動するようになっている。
【００５２】
また、重錘キャッチングホルダー１３の上端側に重錘落下防止ストッパー１５が内接する凹部１３ａが形成され、当該凹部１３ａは上端部の外径が最大で、下端方向に徐々に小径となるような逆裁頭円錐台形状に形成され、底部に重錘キャッチングロッド１７が貫通するルーズ孔１３ｂが形成されている。
【００５３】
重錘落下防止ストッパー１５は、複数の球体１８と当該球体１８を保持する球体ホルダー１９を備え、当該球体ホルダー１９は凹部１３ａの形状に対応して上端部の外径が最大で、下端方向に徐々に小径となる逆裁頭円錐台形状に形成されている。
【００５４】
また、球体ホルダー１９の中心部分に重錘キャッチングロッド１７が貫通するルーズ孔１９ａが形成され、当該ルーズ孔１９ａと外周面１９ｂとの間に内周面が凹曲面状をなす球体収納部１９ｃが球体ホルダー本体１９の周方向および上下方向に均等な間隔で複数形成されている。
【００５５】
各球体収納部１９ｃのルーズ孔１９ａ側と外周面１９ｂ側は開口し、各球体収納部１９ｃに球体１８がそれぞれ収納されている。各球体１８は、球体収納部１９ｃ内にあって自由に回転し、かつルーズ孔１９ａ側および外周面１９ｂ側に自由に移動することができ、さらにルーズ孔１９ａ側または外周面１９ｂ側の一方の開口に必ず一部が突出する大きさに形成されている。
【００５６】
永電磁ホルダー１４は、中心部に重錘キャッチングロッド１７が貫通するルーズ孔１４ａを有し、また重錘３の落下時の衝撃を緩和させるコイルバネや防振ゴム等の緩衝部材を備え、門型フレーム１６の上枠１６ａに設置されている。
【００５７】
さらに、永電磁ホルダー１４は、通電により磁力を発生したときにだけ重錘落下防止ストッパー１５を吸い付け、その通電操作は有線または無線方式の永電磁ホルダー用整流器(図省略)による遠隔操作または自動制御により行えるようになっている。
【００５８】
重錘キャッチングロッド１７は、重錘吊上げロッド４の周囲に等間隔に複数配置され、各重錘キャッチングロッド１７の下端部は重錘３の上端周縁部に接続されている。また、各重錘キャッチングロッド１７の上端側は、重錘キャッチング装置１２の重錘キャッチングホルダー１３、重錘落下防止ストッパー１５および永電磁ホルダー１４の各ルーズ孔１３ａ、１５ａおよび１４ａを連続して貫通している。
【００５９】
このような構成において、重錘吊上げロッド４の先端部に吊り下げられた重錘３が杭頭Ａに落下し杭頭Ａで跳ね上がったとき、永電磁ホルダー１４への通電が遮断されると、重錘落下防止ストッパー１５は永電磁ホルダー１４から離れ、重錘キャッチングロッド１７に沿って重錘キャッチングホルダー１３の凹部１３ａ内に落下する。
【００６０】
重錘落下防止ストッパー１５が重錘キャッチングホルダー１３の凹部１３ａ内に落下すると同時に、球体１８が、重錘キャッチングホルダー１３の凹部１３ａの内周面によってルーズ孔１５ａ側に強く押され、一部がルーズ孔１５ａ内に突出して重錘キャッチングロッド１７を強く把持することにより重錘３のリバンドが押さえられる。
【００６１】
なお、重錘落下防止ストッパー１５を吸い付ける永電磁ホルダー１４は、コイルバネや防振ゴム等の緩衝部材を介して門型フレーム１６の上枠１６ａに取り付けられているため、重錘落下時の衝撃等で重錘３が誤って落下することはない。
【００６２】
図１１(a)〜(c)は、重錘落下防止ストッパーの変形例を図示したものであり、ピースホルダー２０のルーズ孔２０ａと外周面２０ｂとの間に複数のスリット２０ｃがピースホルダー２０の周方向に等間隔に形成され、各スリット２０ｃに楔状ピース２１が挿入されている。
【００６３】
このような構成において、永電磁ホルダー１４が磁力を発生させることにより、重錘落下防止ストッパー１５は永電磁ホルダー１４に吸い付き、永電磁ホルダー１４への通電が遮断されると重錘キャッチングホルダー１３の凹部１３ａ内に落下し、そして、各楔状ピース２１が凹部１３ａの内周面によってルーズ孔２０ａ側に強く押され、各楔状ピース２０の端部がルーズ孔２０ａ内に突出して、重錘３と共に跳ね上った重錘キャッチングロッド１７を強く把持することにより重錘３のリバンドが防止される。
【産業上の利用可能性】
【００６４】
本発明は、地盤面に実際に突出する杭頭に落下する重錘によって前記杭頭に作用する杭の軸方向押込み力から前記杭の支持力を確認する杭の急速載荷試験に際し、杭頭に落下した重錘を元の高さまできわめて安全にかつ迅速に吊り上げることができる。
【符号の説明】
【００６５】
１  架構体
２  上部架台
３  重錘
４  重錘吊上げロッド
５  重錘吊上げジャッキ
６  節部
６ａテーパー
７  重錘チャック
８  ジャッキ本体
８ａ  ピストンロッド
９  上部チャック
９ａ  チャック本体
９ｂ  係合キー
９ｃ  ジャッキ
９ｄ  スプリング
９ｅ  中間リブ
９ｆ  テーパー
１０  下部チャック
１０ａ  チャック本体
１０ｂ  係合キー
１０ｃ  ジャッキ
１０ｄ  スプリング
１０ｅ  中間リブ
１０ｆ  テーパー
１１  重錘ガイド装置
１１ａ  ガイドレール
１１ｂ  ガイドローラ
１２  重錘キャッチング装置
１３  重錘キャッチングホルダー
１３ａ  凹部
１３ｂ  ルーズ孔
１４  永電磁ホルダー
１４ａ  ルーズ孔
１５  重錘落下防止ストッパー
１６  門型フレーム
１６ａ  上枠
１７  重錘キャッチングロッド
１８  球体
１９  球体ホルダー
１９ａ  ルーズ孔
２０  ピースホルダー
２１  楔状ピース
【要約】
【課題】重錘を元の高さまで安全かつ迅速に吊上げる杭の急速載荷試験装置を提供する。
【解決手段】杭頭Aの近くに立設された架構体1と、架構体1に設置され、杭頭Aに落下した重錘3を重錘吊上げロッド4を介して元の高さまで吊上げる重錘吊上げジャッキ5と、重錘3を重錘吊上げロッド4の下端部に切り離し可能に垂設する重錘把持チャック7を備える。重錘吊上げジャッキ5は重錘3を吊上げるジャッキ本体8と、ジャッキ本体8の上部側と下部側にそれぞれ設置され、重錘吊上げロッド4を把持及び解放する上部チャック9と下部チャック10からなる。重錘吊上げジャッキ5が重錘3を吊上げるとき、上部チャック9は重錘吊上げロッド4を把持し、下部チャック10は重錘吊上げロッド4を解放する。上部チャック9が重錘吊上げロッド4を解放して重錘吊上げジャッキ8の収縮と共に下降するとき、下部チャック10は重錘吊上げロッド4を把持する。
【選択図】図１【図１】
0006954579.tif 000002
【図２】
0006954579.tif 000003
【図３】
0006954579.tif 000004
【図４】
0006954579.tif 000005
【図５】
0006954579.tif 000006
【図６】
0006954579.tif 000007
【図７】
0006954579.tif 000008
【図８】
0006954579.tif 000009
【図９】
0006954579.tif 000010
【図１０】
0006954579.tif 000011
【図１１】
0006954579.tif 000012